【手続補正書】
【提出日】平成24年1月13日(2012.1.13)
【手続補正１】
【補正対象書類名】明細書
【補正対象項目名】００１２
【補正方法】変更
【補正の内容】
【００１２】
即ち、入力画像を複数の分割画像に分割し、該分割画像について可逆符号化を行うことで、該分割画像の符号化分割画像を生成する画像処理装置であって、
前記符号化分割画像のデータ量と、前記分割画像のデータ量と、の大小比較を行い、当該大小比較の結果に基づいて、前記分割画像、前記符号化分割画像、の何れかを前記分割画像の符号化結果として選択する選択手段と、
前記選択手段が選択した符号化結果を、符号化ストリームに格納する第１の格納制御手段と、
前記入力画像を構成するそれぞれの分割画像について前記選択手段が選択した符号化結果が前記分割画像、前記符号化分割画像の何れであるのかを特定するための識別子であって、該特定のために該識別子に要求される複数種のデータ構造のうち事前に決定されたデータ構造を有する識別子を、前記符号化ストリームに格納する第２の格納制御手段と、
前記第１の格納制御手段、前記第２の格納制御手段、により完成した前記符号化ストリームのデータ量に基づいて、前記入力画像の次に入力される画像について前記第２の格納制御手段で用いる識別子のデータ構造を決定する決定手段と
を備えることを特徴とする。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
入力画像を複数の分割画像に分割し、該分割画像について可逆符号化を行うことで、該分割画像の符号化分割画像を生成する画像処理装置であって、
前記符号化分割画像のデータ量と、前記分割画像のデータ量と、の大小比較を行い、当該大小比較の結果に基づいて、前記分割画像、前記符号化分割画像、の何れかを前記分割画像の符号化結果として選択する選択手段と、
前記選択手段が選択した符号化結果を、符号化ストリームに格納する第１の格納制御手段と、
前記入力画像を構成するそれぞれの分割画像について前記選択手段が選択した符号化結果が前記分割画像、前記符号化分割画像の何れであるのかを特定するための識別子であって、該特定のために該識別子に要求される複数種のデータ構造のうち事前に決定されたデータ構造を有する識別子を、前記符号化ストリームに格納する第２の格納制御手段と、
前記第１の格納制御手段、前記第２の格納制御手段、により完成した前記符号化ストリームのデータ量に基づいて、前記入力画像の次に入力される画像について前記第２の格納制御手段で用いる識別子のデータ構造を決定する決定手段と
を備えることを特徴とする画像処理装置。
【請求項２】
前記選択手段は、前記符号化分割画像の圧縮率が１００％未満か否かを判断し、１００％未満である場合には前記符号化分割画像、１００％以上である場合には前記分割画像、を、前記分割画像の符号化結果として選択することを特徴とする請求項１に記載の画像処理装置。
【請求項３】
前記決定手段は、前記選択手段が選択した結果が前記分割画像、前記符号化分割画像の何れであるのかを示す識別子のデータ構造を規定する第１の方式、前記選択手段が選択した結果が前記分割画像であるか否かを示す識別子のデータ構造を規定する第２の方式、の何れかを選択し、選択した方式に従って、前記入力画像の次に入力される画像について前記第２の格納制御手段で用いる識別子のデータ構造を決定することを特徴とする請求項１又は２に記載の画像処理装置。
【請求項４】
前記決定手段は、
前記第１の格納制御手段、前記第２の格納制御手段、により完成したＮ番目の入力画像に対する符号化ストリームのデータ量をＬＡＣＴ、前記Ｎ番目の入力画像に割り当てるデータ量として計算されたデータ量をＴＰ（Ｎ）、前記Ｎ番目の入力画像を構成する全ての分割画像の符号化結果として前記選択手段が分割画像を選択し且つ前記第１の方式が規定する識別子を用いた場合の符号化ストリームのデータ量をＴＡ、前記Ｎ番目の入力画像を構成する全ての分割画像の符号化結果として前記選択手段が分割画像を選択し且つ前記第２の方式が規定する識別子を用いた場合の符号化ストリームのデータ量をＴＢ、とすると、（Ｎ＋１）番目の入力画像に割り当てるデータ量ＴＰ（Ｎ＋１）を、ＴＰ（Ｎ＋１）＝（ＴＰ（１）＋ＴＰ（２）＋…＋ＴＰ（Ｎ））−ＬＡＣＴ＋ＴＡを計算することで求める手段と、
ＴＰ（Ｎ＋１）＜ＴＢの場合には、前記第１の方式を選択し、ＴＰ（Ｎ＋１）≧ＴＢの場合には、前記第１の方式若しくは前記第２の方式を選択する方式選択手段とを備え、
前記第２の格納制御手段は、前記（Ｎ＋１）番目の入力画像については、前記方式選択手段が選択した方式が規定するデータ構造を有する識別子を前記符号化ストリームに格納することを特徴とする請求項３に記載の画像処理装置。
【請求項５】
前記第２の格納制御手段は、前記第１の方式が選択された場合には、前記第１の方式が前記分割画像について規定しているデータ構造の識別子、前記第１の方式が前記符号化分割画像について規定しているデータ構造の識別子、を用いることを特徴とする請求項３に記載の画像処理装置。
【請求項６】
前記第２の格納制御手段は、前記第２の方式が選択された場合には、前記第２の方式が前記分割画像について規定しているデータ構造の識別子、を用いることを特徴とする請求項３に記載の画像処理装置。
【請求項７】
前記ＴＡは、前記Ｎ番目の入力画像を構成する全ての分割画像のデータ量の合計値と、それぞれの分割画像に対して前記第１の方式が規定する識別子のビット長の合計値と、の和であり、
前記ＴＢは、前記Ｎ番目の入力画像を構成する全ての分割画像のデータ量の合計値と、それぞれの分割画像に対して前記第２の方式が規定する識別子のビット長の合計値と、の和であることを特徴とする請求項４乃至６の何れか１項に記載の画像処理装置。
【請求項８】
入力画像を複数の分割画像に分割し、該分割画像について可逆符号化を行うことで、該分割画像の符号化分割画像を生成する画像処理装置であって、
前記符号化分割画像のデータ量と、前記分割画像のデータ量と、の大小比較を行い、当該大小比較の結果に基づいて、前記分割画像、前記符号化分割画像、の何れかを前記分割画像の符号化結果として選択する選択手段と、
前記選択手段が選択した符号化結果を、符号化ストリームに格納する第１の格納制御手段と、
前記入力画像を構成するそれぞれの分割画像について前記選択手段が選択した符号化結果が前記分割画像、前記符号化分割画像の何れであるのかを特定するための識別子であって、該特定のために該識別子に要求される複数種のデータ構造のうち事前に決定されたデータ構造を有する識別子を、前記符号化ストリームに格納する第２の格納制御手段とを備え、
前記第２の格納制御手段は、分割画像毎に前記識別子のデータ構造を決定する決定手段を備え、
前記決定手段は、複数のデータ構造の使用が可能な場合には、前記分割画像に隣接する前記選択手段が選択した分割画像の符号化結果に基づいて１つデータ構造を決定することを特徴とする画像処理装置。
【請求項９】
前記決定手段は、
前記分割画像に隣接する前記選択手段が選択した分割画像の符号化結果に１つでも分割画像が含まれている場合には、前記選択手段が選択した結果が前記分割画像、前記符号化分割画像の何れであるのかを示す識別子のデータ構造を規定する第１の方式に基づくデータ構造を決定し、
前記分割画像に隣接する前記選択手段が選択した分割画像の符号化結果が全て前記符号化分割画像である場合には、前記選択手段が選択した結果が前記分割画像であるか否かを示す識別子のデータ構造を規定する第２の方式に基づくデータ構造を決定する
ことを特徴とする請求項８に記載の画像処理装置。
【請求項１０】
更に、
全ての分割画像について同じ方式に基づくデータ構造を有する識別子を用いたのか、用いていないのかを示す情報を前記符号化ストリームに格納する手段を備えることを特徴とする請求項８又は９に記載の画像処理装置。
【請求項１１】
入力画像を複数の分割画像に分割し、該分割画像について可逆符号化を行うことで生成された、該分割画像の符号化分割画像を復号化する画像処理装置であって、
画像を構成するそれぞれの分割画像の符号化結果として分割画像、若しくは符号化分割画像と、それぞれの分割画像についての符号化結果が分割画像、符号化分割画像の何れであるのかを特定するための識別子と、を含む符号化ストリームを取得する手段と、
前記符号化ストリーム中の各識別子のデータ構造を規定する方式を決定する決定手段と、
前記決定手段が決定した方式に基づいて前記各識別子を解釈し、解釈した識別子に基づいて、対応する符号化結果が符号化分割画像であるのか分割画像であるのかを判断し、符号化分割画像である場合には、当該符号化分割画像を復号してから出力し、特定した形式が分割画像である場合には、当該分割画像を出力する出力手段とを備え、
前記決定手段は、前記符号化ストリームのデータ量に基づいて、前記符号化ストリームの次に入力される符号化ストリーム中の各識別子の方式を決定する
ことを特徴とする画像処理装置。
【請求項１２】
入力画像を複数の分割画像に分割し、該分割画像について可逆符号化を行うことで生成された、該分割画像の符号化分割画像を復号化する画像処理装置であって、
画像を構成するそれぞれの分割画像の符号化結果として分割画像、若しくは符号化分割画像と、それぞれの分割画像についての符号化結果が分割画像、符号化分割画像の何れであるのかを特定するための識別子と、を含む符号化ストリームを取得する手段と、
前記符号化ストリーム中の各識別子のデータ構造を規定する方式を決定する決定手段と、
前記決定手段が決定した方式に基づいて前記各識別子を解釈し、解釈した識別子に基づいて、対応する符号化結果が符号化分割画像であるのか分割画像であるのかを判断し、符号化分割画像である場合には、当該符号化分割画像を復号してから出力し、特定した形式が分割画像である場合には、当該分割画像を出力する出力手段とを備え、
前記決定手段は、分割画像毎に前記方式を決定し、複数の方式の使用が可能な場合には、前記分割画像に隣接する分割画像の符号化結果に基づいて１つ方式を決定することを特徴とする画像処理装置。
【請求項１３】
入力画像を複数の分割画像に分割し、該分割画像について可逆符号化を行うことで、該分割画像の符号化分割画像を生成する画像処理装置が行う画像処理方法であって、
前記画像処理装置の選択手段が、前記符号化分割画像のデータ量と、前記分割画像のデータ量と、の大小比較を行い、当該大小比較の結果に基づいて、前記分割画像、前記符号化分割画像、の何れかを前記分割画像の符号化結果として選択する選択工程と、
前記画像処理装置の第１の格納制御手段が、前記選択工程で選択した符号化結果を、符号化ストリームに格納する第１の格納制御工程と、
前記画像処理装置の第２の格納制御手段が、前記入力画像を構成するそれぞれの分割画像について前記選択工程で選択した符号化結果が前記分割画像、前記符号化分割画像の何れであるのかを特定するための識別子であって、該特定のために該識別子に要求される複数種のデータ構造のうち事前に決定されたデータ構造を有する識別子を、前記符号化ストリームに格納する第２の格納制御工程と、
前記画像処理装置の決定手段が、前記第１の格納制御工程、前記第２の格納制御工程、で完成した前記符号化ストリームのデータ量に基づいて、前記入力画像の次に入力される画像について前記第２の格納制御工程で用いる識別子のデータ構造を決定する決定工程と
を備えることを特徴とする画像処理方法。
【請求項１４】
入力画像を複数の分割画像に分割し、該分割画像について可逆符号化を行うことで、該分割画像の符号化分割画像を生成する画像処理装置が行う画像処理方法であって、
前記画像処理装置の選択手段が、前記符号化分割画像のデータ量と、前記分割画像のデータ量と、の大小比較を行い、当該大小比較の結果に基づいて、前記分割画像、前記符号化分割画像、の何れかを前記分割画像の符号化結果として選択する選択工程と、
前記画像処理装置の第１の格納制御手段が、前記選択工程で選択した符号化結果を、符号化ストリームに格納する第１の格納制御工程と、
前記画像処理装置の第２の格納制御手段が、前記入力画像を構成するそれぞれの分割画像について前記選択工程で選択した符号化結果が前記分割画像、前記符号化分割画像の何れであるのかを特定するための識別子であって、該特定のために該識別子に要求される複数種のデータ構造のうち事前に決定されたデータ構造を有する識別子を、前記符号化ストリームに格納する第２の格納制御工程とを備え、
前記第２の格納制御工程は、分割画像毎に前記識別子のデータ構造を決定する決定工程を備え、
前記決定工程では、複数のデータ構造の使用が可能な場合には、前記分割画像に隣接する前記選択工程で選択した分割画像の符号化結果に基づいて１つデータ構造を決定することを特徴とする画像処理方法。
【請求項１５】
入力画像を複数の分割画像に分割し、該分割画像について可逆符号化を行うことで生成された、該分割画像の符号化分割画像を復号化する画像処理装置が行う画像処理方法であって、
前記画像処理装置の取得手段が、画像を構成するそれぞれの分割画像の符号化結果として分割画像、若しくは符号化分割画像と、それぞれの分割画像についての符号化結果が分割画像、符号化分割画像の何れであるのかを特定するための識別子と、を含む符号化ストリームを取得する工程と、
前記画像処理装置の決定手段が、前記符号化ストリーム中の各識別子のデータ構造を規定する方式を決定する決定工程と、
前記画像処理装置の出力手段が、前記決定工程で決定した方式に基づいて前記各識別子を解釈し、解釈した識別子に基づいて、対応する符号化結果が符号化分割画像であるのか分割画像であるのかを判断し、符号化分割画像である場合には、当該符号化分割画像を復号してから出力し、特定した形式が分割画像である場合には、当該分割画像を出力する出力工程とを備え、
前記決定工程では、前記符号化ストリームのデータ量に基づいて、前記符号化ストリームの次に入力される符号化ストリーム中の各識別子の方式を決定する
ことを特徴とする画像処理方法。
【請求項１６】
入力画像を複数の分割画像に分割し、該分割画像について可逆符号化を行うことで生成された、該分割画像の符号化分割画像を復号化する画像処理装置が行う画像処理方法であって、
前記画像処理装置の取得手段が、画像を構成するそれぞれの分割画像の符号化結果として分割画像、若しくは符号化分割画像と、それぞれの分割画像についての符号化結果が分割画像、符号化分割画像の何れであるのかを特定するための識別子と、を含む符号化ストリームを取得する工程と、
前記画像処理装置の決定手段が、前記符号化ストリーム中の各識別子のデータ構造を規定する方式を決定する決定工程と、
前記画像処理装置の出力手段が、前記決定工程で決定した方式に基づいて前記各識別子を解釈し、解釈した識別子に基づいて、対応する符号化結果が符号化分割画像であるのか分割画像であるのかを判断し、符号化分割画像である場合には、当該符号化分割画像を復号してから出力し、特定した形式が分割画像である場合には、当該分割画像を出力する出力工程とを備え、
前記決定工程では、分割画像毎に前記方式を決定し、複数の方式の使用が可能な場合には、前記分割画像に隣接する分割画像の符号化結果に基づいて１つ方式を決定することを特徴とする画像処理方法。
【請求項１７】
コンピュータを、請求項１乃至１２の何れか１項に記載の画像処理装置の各手段として機能させるためのコンピュータプログラム。
【請求項１８】
請求項１７に記載のコンピュータプログラムを格納した、コンピュータが読み取り可能な記憶媒体。